(57)【要約】【課題】チューブ容器本体の内部の内容物を無駄なく使用することができるとともに、その使用期間中において内容物の塗布用のへらを紛失することなくチューブ容器本体と一体的な状態で保管することができるチューブ絞り具の提供を課題とする。【解決手段】摘み板１０の上面にはチューブ容器本体の頭部部分に残っている内容物を押し出す押圧突起１４が形成されている。チューブ容器本体を挟んで巻き付けることができる２本のチューブ挟持体１１，１２の間には、チューブ容器本体の端部を挟むための隙間１３が形成されている。２本のチューブ挟持体１１，１２の先端部に着脱自在に係合するジョイント部材２０によって隙間１３の幅は一定の幅に保たれる。チューブ容器本体内の内容物を塗布するためのへら５は摘み板１０内に収納することができる。【選択図】図１
2012166812.tif 000002
【特許請求の範囲】
【請求項１】
円筒状の注出口と該注出口の下端部に連設され当該注出口の周辺方向に延在する肩部とからなる頭部を一端部側に具備し、他端部側が閉止状態となっている変形自在なチューブ容器本体に収納されている内容物を絞り出すチューブ絞り具であって、
使用者の手の指で摘むことが可能な大きさの平板状の摘み板と、
該摘み板の側面部から延在する互に平行な２本のチューブ挟持体であって、当該２本のチューブ挟持体は前記摘み板の上面および下面と平行な方向に形成され且つ当該２本のチューブ挟持体の間には前記チューブ容器本体の前記他端部側が挿入可能な隙間が形成されている２本のチューブ挟持体と、
該２本のチューブ挟持板の２つの先端部に着脱自在に係合する当該２本の挟持体のジョイント部材とからなり、
前記摘み板には、前記チューブ容器本体内の前記内容物を塗布するへらを収納可能なへら収納部が形成され、
前記摘み板の上面または下面には、前記チューブ容器本体の前記肩部の形状と略同じ形状の押圧突起が形成されていることを特徴とするチューブ絞り具。
【請求項２】
円筒状の注出口と該注出口の下端部に連設され当該注出口の周辺方向に延在する肩部とからなる頭部を一端部側に具備し、他端部側が閉止状態となっている変形自在なチューブ容器本体に収納されている内容物を絞り出すチューブ絞り具であって、
使用者の手の指で摘むことが可能な大きさの平板状の摘み板と、
該摘み板の側面部から延在する互に平行な２本のチューブ挟持体であって、当該２本のチューブ挟持体は前記摘み板の上面および下面と平行な方向に形成され且つ当該２本のチューブ挟持体の間には前記チューブ容器本体の前記他端部側が挿入可能な隙間が形成されている２本のチューブ挟持体と、
該２本のチューブ挟持板の２つの先端部に着脱自在に係合する当該２本の挟持体のジョイント部材とからなり、
前記ジョイント部材には、前記チューブ容器本体内の前記内容物を塗布するへらを収納可能なへら収納部が形成され、
前記摘み板の上面または下面には、前記チューブ容器本体の前記肩部の形状と略同じ形状の押圧突起が形成されていることを特徴とするチューブ絞り具。
【請求項３】
前記２本のチューブ挟持体の外側の前記摘み板の側壁部には、前記チューブ挟持体と平行な方向に延在する係止用突片が複数個くし状に配設されていることを特徴とする請求項１または２に記載のチューブ絞り具。
【発明の詳細な説明】
【技術分野】
【０００１】
本発明は、チューブ容器本体に収納されている内容物をチューブ容器本体から絞り出すチューブ絞り具に関するものである。
【背景技術】
【０００２】
従来から医薬品やその他の多くの物品が図１４（ａ）に示したようなチューブ容器本体１に収納された状態で販売され、使用されている。
【０００３】
このような変形自在なチューブ容器本体１は、通常、図１４（ａ）に示したように、端部の一方側が閉止状態に加工されており、他方側には、円筒状の注出口２とその下端部に連設され注出口２の周辺方向に延在する肩部３とからなる頭部４を具えている。
【０００４】
チューブ容器本体１の内容物を使用する場合、使用者は、図１４（ｂ）に示したようにチューブ容器本体１を押して注出口２から適量の内容物を外部に注出させてこれを使用する。そして、図１５に示したように、チューブ容器本体１を絞っても注出口２から内容物が出てこなくなった最終使用段階になったとき、使用者はこのチューブ容器本体１を廃棄して、新たなチューブ容器に収納されている内容物を使用することになる。
【発明の概要】
【発明が解決しようとする課題】
【０００５】
しかしながら、図１５のような状態になって廃棄されるチューブ容器本体１の頭部４の内には、まだ内容物が残っており、この頭部４内に残存している内容物を使用する場合、使用者は、チューブ容器本体１を切断した後、スプーン等を用いて頭部４内の内容物を掻き出すなどしなければならなかった。
【０００６】
即ち、従来は、最終使用段階にあるチューブ容器本体１の頭部４内の残存内容物は容易に使用することができないという問題点があった。殊に、内容物が少量で高価である医療品である場合には、この頭部４内の残存内容物の量が１ないし数回の使用量になることもあり、チューブ容器本体１とともにこの残存内容物を使用せずに廃棄するというこの問題点は、医療費の高騰を招く一因ともなってしまう。
【０００７】
さらに、チューブ容器本体１の内容物の種類によっては、例えば内容物が水虫の治療薬等の場合には、図１４（ａ），（ｂ）に示したように内容物を患部に塗布するためのへら５が付属品となっているときがある。このようなへら５は、チューブ容器本体１とは別体であるために、チューブ容器本体１の内部に内容物が残っている状態であっても、紛失してしまう虞があった。
【課題を解決するための手段】
【０００８】
以上の問題点を解消するために、本発明の第１の手段は、円筒状の注出口と該注出口の下端部に連設され当該注出口の周辺方向に延在する肩部とからなる頭部を一端部側に具備し、他端部側が閉止状態となっている変形自在なチューブ容器本体に収納されている内容物を絞り出すチューブ絞り具であって、使用者の手の指で摘むことが可能な大きさの平板状の摘み板と、該摘み板の側面部から延在する互に平行な２本のチューブ挟持体であって、当該２本のチューブ挟持体は前記摘み板の上面および下面と平行な方向に形成され且つ当該２本のチューブ挟持体の間には前記チューブ容器本体の前記他端部側が挿入可能な隙間が形成されている２本のチューブ挟持体と、該２本のチューブ挟持板の２つの先端部に着脱自在に係合する当該２本の挟持体のジョイント部材とからなり、前記摘み板には、前記チューブ容器本体内の前記内容物を塗布するへらを収納可能なへら収納部が形成され、前記摘み板の上面または下面には、前記チューブ容器本体の前記肩部の形状と略同じ形状の押圧突起が形成されていることを特徴とするものである。
【０００９】
以上の問題点を解消するために、本発明の第２の手段は、円筒状の注出口と該注出口の下端部に連設され当該注出口の周辺方向に延在する肩部とからなる頭部を一端部側に具備し、他端部側が閉止状態となっている変形自在なチューブ容器本体に収納されている内容物を絞り出すチューブ絞り具であって、使用者の手の指で摘むことが可能な大きさの平板状の摘み板と、該摘み板の側面部から延在する互に平行な２本のチューブ挟持体であって、当該２本のチューブ挟持体は前記摘み板の上面および下面と平行な方向に形成され且つ当該２本のチューブ挟持体の間には前記チューブ容器本体の前記他端部側が挿入可能な隙間が形成されている２本のチューブ挟持体と、該２本のチューブ挟持板の２つの先端部に着脱自在に係合する当該２本の挟持体のジョイント部材とからなり、前記ジョイント部材には、前記チューブ容器本体内の前記内容物を塗布するへらを収納可能なへら収納部が形成され、前記摘み板の上面または下面には、前記チューブ容器本体の前記肩部の形状と略同じ形状の押圧突起が形成されていることを特徴とするものである。
【００１０】
また、以上の第１，第２の手段において、前記２本のチューブ挟持体の外側の前記摘み板の側壁部には、前記チューブ挟持体と平行な方向に延在する係止用突片が複数個くし状に配設されていてもよい。
【発明の効果】
【００１１】
本発明によれば、チューブ容器本体の内部の内容物を無駄なく使用することができるとともに、その使用期間中において内容物の塗布用のへらを紛失することなくチューブ容器本体と一体的な状態で保管することができる。
【図面の簡単な説明】
【００１２】
【図１】本発明の実施例１の構成を示す斜視図である。
【図２】本発明の実施例１の構成を示す断面図である。
【図３】本発明の実施例１の使用方法の説明図である。
【図４】本発明の実施例１の使用方法の説明図である。
【図５】本発明の実施例１の使用方法の説明図である。
【図６】本発明の実施例１の構成の説明図である。
【図７】本発明の実施例１の構成の説明図である。
【図８】本発明の実施例１の構成の説明図である。
【図９】本発明の実施例１の構成の説明図である。
【図１０】本発明の実施例２の構成を示す斜視図である。
【図１１】本発明の実施例２の構成を示す断面図である。
【図１２】本発明の実施例２の使用方法の説明図である。
【図１３】本発明の実施例２の使用方法の説明図である。
【図１４】従来のチューブ容器本体の説明図である。
【図１５】従来のチューブ容器本体の説明図である。
【発明を実施するための形態】
【００１３】
以下、図面を用いて本発明の実施例について説明する。
【実施例１】
【００１４】
図１は本発明の実施例１の構成を示した斜視図であり、（ａ）は分解斜視図、（ｂ）は組み立てた状態における斜視図である。図２は、図１（ｂ）の断面図である。
【００１５】
図１，図２において、１０は使用者の手の指で摘むことができる大きさの平板状の摘み板であり、その平面形状については特に限定条件はない。
【００１６】
１１，１２は、摘み板１０の側面部から延在する互に平行なチューブ挟持体である。この２本のチューブ挟持体１１，１２は、摘み板１０の上面および下面の面方向とも平行に配設されている。チューブ挟持体１１とチューブ挟持体１２との間にはチューブ容器本体の閉止状態となっている端部側が挿入可能な隙間１３が形成されている。
【００１７】
２０は、２本のチューブ挟持体１１，１２の先端部に着脱自在に係合するジョイント部材である。このジョイント部材２０には、２本のチューブ挟持体１１，１２の先端部が挿入可能な先端部挿入口２１が形成されている。また、先端部挿入口２１の側面には係合凹部２２が形成されており、チューブ挟持体１１，１２の先端部が挿入された状態においては、この先端部に形成されている係合凸部２３と係合凹部２２が係合状態となる。このジョイント部材２０をチューブ挟持体１１，１２の先端部に装着した図１（ｂ）に示す状態においてはチューブ挟持体１１とチューブ挟持体１２との間の隙間１３の幅は広がらないので、チューブ挟持体１１，１２はその間に存在するチューブ容器本体を確実に挟持している状態を保つことができる。
【００１８】
摘み板１０の上面にはチューブ容器本体の注出口側の肩部と略同じ形状の押圧突起１４が形成されている。なお、この押圧突起１４は摘み板１０の下面に形成されていてもよい。
【００１９】
図２に示すように、摘み板１０には、チューブ容器本体の内容物の塗布用のへら５が挿入可能なへら収納部１０ａが形成されている。へら収納部１０ａの厚み方向の幅は、奥の方向になるに従って薄くなるように形成されているので、このへら収納部１０ａにへら５を差し込むと、へら５の先端部の上面と下面とがそれぞれ挟持された状態となり、へら５はその収納された状態を保つことができる。
【００２０】
次に、以上のように構成された本実施例１の使用方法について説明する。
【００２１】
図３（ａ）に示すように、本実施例１は、チューブ容器本体１の閉止状態となっている端部を２つのチューブ挟持体１１，１２で挟むような状態でチューブ容器本体１に装着されるものである。
【００２２】
チューブ容器本体１内の内容物が十分に残っている状態においては、使用者はチューブ容器本体１自体を押圧して適量の内容物を注出口２から出して、その内容物を摘み板１０から引き抜いたへら５を用いて患部に塗布する。そして、この塗布終了後に、へら５を摘み板１０に差し込んで、次の使用時までこの状態でへら５を保管する。
【００２３】
チューブ容器本体１の内容物の残量が少なくなった状態においては、使用者は図３（ａ）に示したように摘み板１０を摘んで矢印方向に回転させて、図３（ｂ）に示したようにチューブ挟持体１１，１２の周りにチューブ容器本体１を巻き付けるような状態にし、チューブ容器本体１内の内容物を注出口２から絞り出して使用する。なお、使用者は、チューブ容器本体１内の内容物の量が十分にある使用初期の状態から、チューブ容器本体１をチューブ挟持体１１，１２の周りに巻き付けるようにして、内容物を注出口２から出すように使用することもできる。
【００２４】
図３（ｂ）に示したように、チューブ容器本体１をチューブ挟持体１１，１２の周りに巻き付けるようにしながら内容物を絞り出すようにして使用して、このような状態で内容物が絞り出せない段階になったら、使用者は、図４（ａ）に示したようにチューブ挟持体１１，１２の先端部からジョイント部材２０を抜き取り、その後に図４（ｂ）に示したようにチューブ容器本体１を抜き取る。この際、ジョイント部材２０を外した段階で、チューブ挟持体１１，１２によるチューブ容器本体１の挟持状態が解除されるので、チューブ容器本体１は、容易に抜き取ることができる。
【００２５】
次に使用者は、図５に示すように、チューブ容器本体１の肩部３の後ろ側から摘み板１０上に配設されている押圧突起１４を押しつけて、頭部４内に残存している内容物を注出口２から押し出して使用する。
【００２６】
以上のようにして使用者は、チューブ容器本体１内の内容物を無駄なく使用することができるとともに、この使用期間中において、へら５を、チューブ容器本体１と一体的な状態で紛失の虞なく保管しておくことができる。
【００２７】
以上説明した本実施例１においては、２本のチューブ挟持体１１，１２が摘み板１０の上面および下面に対して横方向に平行に配設される構成となっているが、このチューブ挟持体１１，１２が図６（ａ），（ｂ）に示すように、摘み板１０の上面および下面に対して縦方向に平行に配設されるように構成してもよい。また、図６（ａ），（ｂ）に示したように、ジョイント部材２０の先端部挿入口２１も、２本のチューブ挟持体１１，１２のそれぞれの先端部が別の先端部挿入口２１に挿入されるように２つ配設するように構成してもよい。図７は図６（ｂ）の断面図を示したものである。
【００２８】
さらに、図８（ａ），（ｂ）に示すように、へら５を収納するへら収納部２０ａをジョイント部材２０に形成するようにしても、本発明の効果を得ることができる。図９は図８（ｂ）の断面図を示したものである。ここでへら収納部２０ａの横方向の幅を先端部に近づくにつれて狭くなるように形成しておけば、へら５を横方向から挟持した状態でへら５を保管することができる。
【実施例２】
【００２９】
本実施例２は、チューブ容器本体１が金属製のチューブではなく、所謂ラミネートチューブのように、常にチューブが伸びた状態に戻るようなチューブ容器本体であるような場合に好適な構成の本発明の実施例である。
【００３０】
図１０は、本実施例２の構成を示した斜視図であり、（ａ）は分解斜視図、（ｂ）は組み立てた状態における斜視図である。図１１は、図１０（ｂ）の断面図である。
【００３１】
ここで、図１０（ａ），（ｂ）および図１１において、図１（ａ），（ｂ）および図２と同一符号のものは同一のものを示しているのでその説明は省略する。
【００３２】
本実施例２においては、へら収納部２０ａはジョイント部材２０に設けられており、このジョイント部材２０には、チューブ挟持体１１，１２の先端部に設けられた嵌合口２５と着脱可能に嵌合する嵌合凸部が設けられている。
【００３３】
ここで、本実施例２の構成においては、チューブ挟持体１１，１２の外側の摘み板１０の側壁部に、チューブ挟持板１１，１２と平行な方向に延在するような係止用突片１５が複数個くし状に配設されている。
【００３４】
このように構成された本実施例２においては、図１２（ａ）に示したように、チューブ挟持体１１，１２の周りにチューブ容器本体１を巻き付けるようにして内容物を絞り出して使用した後、図１２（ｂ）に示したように、チューブ挟持体１１，１２の周りに巻き付けられた状態のチューブ容器本体１を摘み板１０の方向にスライドさせて、この巻き付けられた状態のチューブ容器本体１の側端部が、くし状に配設されている係止用突片１５の間の隙間に挟まるようにして次の使用時まで保管しておく。図１３は図１２（ｂ）のチューブ容器本体１の断面状態を示した断面図である。なお、図１２（ａ），（ｂ）においては、装着されているジョイント部材２０は省かれている。
【００３５】
このようにして、次の使用時まで保管しておけば、次の使用時においては、チューブ容器本体１の端部から改めてチューブ挟持体１１，１２の周りにチューブ容器本体１を巻き付けることなく、摘み板１０から離れる方向にチューブ容器本体１をスライドさせるだけで、すぐに内容物を絞り出すことができる。
【００３６】
本実施例２のその他の使用法については先に説明した実施例１と同様であるのでその説明は省略する。
【符号の説明】
【００３７】
１  チューブ容器本体
２  注出口
３  肩部
４  頭部
５  へら
１０  摘み板
１０ａ，２０ａ  へら収納部
１１，１２  チューブ挟持体
１３  隙間
１４  押圧突起
１５  係止用突片
２０  ジョイント部材
２１  先端部挿入口
２２  係合凹部
２３  係合凸部
２４  嵌合凸部
２５  嵌合口
【図１】
2012166812.tif 000003
【図２】
2012166812.tif 000004
【図３】
2012166812.tif 000005
【図４】
2012166812.tif 000006
【図５】
2012166812.tif 000007
【図６】
2012166812.tif 000008
【図７】
2012166812.tif 000009
【図８】
2012166812.tif 000010
【図９】
2012166812.tif 000011
【図１０】
2012166812.tif 000012
【図１１】
2012166812.tif 000013
【図１２】
2012166812.tif 000014
【図１３】
2012166812.tif 000015
【図１４】
2012166812.tif 000016
【図１５】
2012166812.tif 000017